(57)【要約】  第１および第２の吐水口を有する便鉢部と、第１および第２の吐水口に洗浄水を供給する給水部と、便鉢部の滞留水を排水するための排水管を備える水洗式便器に関する。第２の吐水口は、便鉢部の後部領域に吐水して第２の水流を形成し、第１の吐水口は、第２の水流の方向において第２の吐水口よりも前方に設けられ、便鉢部の上部に吐水して周方向に旋回する第１の水流を形成する。第２の吐水口の開口は、第１の吐水口の開口よりも上方に位置する。
2016143029.tif 000002
【特許請求の範囲】
【請求項１】
第１および第２の吐水口を有する便鉢部と、前記便鉢部の滞留水を排出するための排水管と、を含む便器本体と、
前記第１および第２の吐水口に洗浄水を供給する給水部と、を備え、
前記第２の吐水口は、前記第１および第２の吐水口の間の後部領域に向けて吐水して第２の水流を形成し、
前記第１の吐水口は、前記第２の水流の方向において前記第２の吐水口よりも前方に設けられ、前記便鉢部の上部に吐水して周方向に旋回する第１の水流を形成し、
前記第２の吐水口の開口は、前記第１の吐水口の開口よりも上方に位置することを特徴とする水洗式便器。
【請求項２】
前記便鉢部の内壁には、更に、前記第１の吐水口から第１の導水手段が周方向に形成され、前記第２の吐水口から第２の導水手段が周方向に形成され、かつ、前記第２の導水手段は前記第１の導水手段と連続的につながることを特徴とする請求項１に記載の水洗式便器。
【請求項３】
前記第１の導水手段は前記第２の吐水口に至る前に終端されることを特徴とする請求項２に記載の水洗式便器。
【請求項４】
前記便鉢部の内壁には、更に、前記第１の吐水口から第１の導水手段が周方向に形成され、前記第１の導水手段は前記第２の吐水口に至る前に終端されることを特徴とする請求項１に記載の水洗式便器。
【請求項５】
前記給水部から供給される洗浄水の５０％を超える水量が前記第１の吐水口に配分されることを特徴とする請求項１から４のいずれかに記載の水洗式便器。
【請求項６】
前記第１の吐水口と前記第２の吐水口の距離は、前記便鉢部の内周の１／４以上２／５以内であることを特徴とする請求項１から５のいずれかに記載の水洗式便器。
【発明の詳細な説明】
【技術分野】
【０００１】
この発明は、水洗式便器、特に、複数の吐水口から洗浄水を吐出するタイプの水洗式便器に関する。
【背景技術】
【０００２】
水洗式便器においては、１以上の吐水口から便鉢部に洗浄水を吐出し、その洗浄水の勢いによって汚物を排水管に押し出す洗浄方式が知られている。以下、便器内部から汚物を排水管に押し出す力のことを「排出力」とよぶことにする。また、便鉢部の内壁面に汚物のカスが残らないようにするため、便鉢部の内壁面を広範囲にわたって洗浄する水流も必要である。以下、便鉢内壁を洗う力のことを「洗浄力」とよぶことにする。特許文献１では、便鉢の左側上部に設けられる第１吐水口から便鉢内壁に沿って第１の水流を吐出することにより旋回水流を形成し、便鉢内壁を洗い流している（特許文献１の図４参照）。更に、便鉢の右側上部に設けられた第２吐水口から吐出される第２の水流を旋回後の第１の水流と合流させることで、排出力を強化している。
【特許文献１】国際公開２０１４／０２７４９９号公報
【発明の開示】
【発明が解決しようとする課題】
【０００３】
このように、水洗式便器には、排出力と洗浄力という２つの機能が求められる。特許文献１に記載の水洗式便器によれば、第１の水流によって便鉢内壁の両側面および前端面を広範囲に洗い流すことができる。【０００４】
本発明者らは、更に、便鉢内壁の後端面、特に、後端面の上部（以下、単に「後部領域」とよぶ）も汚物の飛沫で汚れやすいことを認識した。特許文献１の第１の水流は、便鉢内壁の側面、前端面、後端面下部を洗浄するが後部領域（後端面上部）までは充分に届かない可能性がある。また、第２の水流は、第１の水流の下方向に流れる力、すなわち、排出力を強化するためのものであり、やはり後部領域には充分に届かない可能性がある。【０００５】
本発明は、本発明者による上記課題認識に基づいて完成されたものであり、その主たる目的は、水洗式便器において、汚物の飛散によって汚れやすい便鉢の後部領域を効果的に洗浄するための技術、を提供することにある。
【課題を解決するための手段】
【０００６】
本開示における水洗式便器は、便器本体と給水部を備える。便器本体は、第１および第２の吐水口を有する便鉢部と、便鉢部の滞留水を排出するための排水管を含む。給水部は、第１および第２の吐水口に洗浄水を供給する。
第２の吐水口は、前記第１および第２の吐水口の間の後部領域に水平方向に吐水して第２の水流を形成する。第１の吐水口は、第２の水流の方向において第２の吐水口よりも前方に設けられ、便鉢部の上部に吐水して周方向に旋回する第１の水流を形成する。
第２の吐水口の開口は、第１の吐水口の開口よりも上方に位置する。【０００７】
上記構成を有する水洗便器は、汚物の飛沫で汚れやすい後端面、特に、その上部領域である後部領域を洗うための吐水口（第２の吐水口）を設けることにより、水洗式便器の洗浄効果をいっそう高めている。後部領域の上端付近をできる限り洗い残さないように、第２の吐水口は第１の吐水口よりも高い位置に設けられる。【０００８】
上記構成の水洗便器において、便鉢部の内壁には、更に、第１の吐水口から第１の導水手段が周方向に形成され、かつ、第２の吐水口から第２の導水手段が周方向に形成されることが好ましい。この場合、第２の導水手段は第１の導水手段と連続的につながることが好ましい。【０００９】
上記構成の水洗便器において、第１の導水手段は第２の吐水口に至る前に終端されることが好ましい。【００１０】
上記構成の水栓便器において、給水部から供給される洗浄水の５０％を超える水量が第１の吐水口に配分されることが好ましい。【００１１】
上記構成の水洗便器において、第１の吐水口と第２の吐水口の距離は、便鉢部の内周の１／４以上２／５以内であることが好ましい。
【図面の簡単な説明】
【００１２】
【図１】水洗式便器の上面図である。
【図２】水洗式便器の側断面図である。
【図３】水洗式便器の第１の斜視図である。
【図４】第１吐水口および第２吐水口の高低関係を説明するための模式図である。
【図５】第１吐水口付近の拡大斜視図である。
【図６】水洗式便器の第２の斜視図である。
【図７】水洗式便器の第３の斜視図である。
【図８】第１の変形例における水洗式便器の斜視図である。
【図９】第２の変形例における水洗式便器の斜視図である。
【図１０】第３の変形例における水洗式便器の斜視図である。
【発明を実施するための最良の形態】
【００１３】
図１は、水洗式便器の一例を示す上面図である。図２は、図１に例示する水洗式便器の側断面図である。
以下の実施形態においては、二つの吐水口から洗浄水を吐出させ旋回流を作り出すことにより便器内を洗浄する方式を例にとり説明する。ただし、本発明は二つの吐水口を有する構成に限定されず、二つ以上の吐水口を持つ水洗式便器１００に適用可能である。【００１４】
水洗式便器１００は、便器本体１０２と給水部１０４に大別される。便器本体１０２は、便鉢部１０６、溜水部１１８および排水管１２０を含む。溜水部１１８は、便鉢部１０６の下部に形成され、排水管１２０は溜水部１１８を介して便鉢部１０６とつながる。給水部１０４は、便鉢部１０６へ洗浄水を供給する。【００１５】
便鉢部１０６は、汚物を受け止めるためのボウル状の内壁を有する容器として構成される。本実施形態における便鉢部１０６は、第１吐水口１１２（メインの吐水口）と第２吐水口１１４（サブの吐水口）の２つの吐水口を備える。【００１６】
溜水部１１８には、常時、滞留水が溜められており、これにより排水管１２０の臭いを遮断する。溜水部１１８に落ちた汚物は、滞留水とともに洗浄水によって排水管１２０に押し出される。【００１７】
便鉢部１０６の上端部には洗浄水の「通水路（通水が想定される通路）」が便鉢部１０６上縁沿いに形成される。第１吐水口１１２は、便鉢部１０６の上縁沿いの通水路と連通して設置される。第１吐水口１１２から吐出される洗浄水（以下、第１吐水口１１２から吐出される洗浄水が形成する水流を「第１水流Ｓ１」とよぶ）は、第１吐水口１１２から、便鉢部内に吐水される。すなわち、第１水流Ｓ１は、第１吐水口から周方向に吐水される。ここで「周方向」とは、便鉢部の上端沿いの通水路に沿う方向を意味する。第１水流Ｓ１は、便鉢部１０２の内壁面（前端面および両側面）を周回又は旋回しながら螺旋状に便鉢内を降下し、溜水部１１８に落水した後、排水管１２０から排水される。第１水流Ｓ１は、便鉢部１０２の内壁を広く洗浄することで洗浄力を提供するとともに、その落水時の水圧により排出力も提供する。【００１８】
一方、第２吐水口１１４の第一の目的は、便鉢部１０２の後端面の上部（後部領域１１０）を洗浄することである。第２吐水口１１４も、便鉢部１０６の上縁沿いに設けられた通水路と連通して設置される。なお、本実施形態においては、第１吐水口及び第２吐水口は通水路内を通過してきた洗浄水が便器内へ流入する出口となっている。
後部領域１１０は、男子小便時に小便が当該領域に直接接触することによる付着汚れが付きやすい。また、溜水部の位置や形状等によっては、小便、大便、その他汚物の飛沫や跳ね返りによる付着汚れが他の箇所より付きやすい場合がある。後部領域１１０の付着汚れを取り除くため第１水流Ｓ１を大きく旋回させた後に後部領域１１０まで到達させる方法も考えられるが、そのような方法では充分な水勢・充分な水量の洗浄水を後部領域１１０の広域、特に、後部領域１１０の上端付近に届かせにくい。そこで、本実施形態においては、この汚れやすい後部領域１１０を洗浄するために第２吐水口１１４を設けている。また、第２吐水口１１４は、後部領域１１０を洗浄するだけでなく、旋回水流の一部となって便鉢部１０６の広域洗浄に寄与し、汚物を排水管１２０に押し出す流れの一部となって排出力の強化にも寄与する（詳細は後述する）。【００１９】
本実施形態における「後部領域１１０」とは、便鉢部１０２の内壁後部上方の領域であって、汚物の飛沫付着が特に想定される領域（汚染想定領域）を意味する。後部領域１１０とは、少なくとも第１吐水口１１２から第２吐水口１１４の間の領域である。より具体的には、便鉢部１０２の内周重心をＰとしたとき、後部領域１１０が重心Ｐに対して形成する角度ａが、３０度から８０度の範囲、少なくとも３０度から６０度の範囲を後部領域１１０の周長として定義する。また、少なくとも、後部領域１１０の高さＺ２は、便鉢部１０６の上端から溜水部１１８の水面までの距離Ｚ１（図２参照）に対して半分以下である。本実施形態においては、便鉢部１０６の上端から第２導水手段１２４（後述）までの範囲を後部領域１１０の高さとして定義する。ここでいう「導水手段」とは、棚のように便鉢部１０６から内側に向けてせり出すことにより、あるいは、便鉢部１０６に設けられるくぼみとして、通水路を規定するための構造を意味するものである。導水手段の上部は水平面である必要はなく、傾斜面を含む形状であってもよい。【００２０】
第２吐水口１１４から吐出される洗浄水（以下、第２吐水口１１４から吐出される洗浄水が形成する水流を「第２水流Ｓ２」とよぶ）は、後部領域１１０に向けて水平方向に吐水されたあと、第１水流と合流するが、その詳細は後述する。ここでいう「水平方向」とは、厳密な水平方向ではなく、少なくとも、第２水流Ｓ２の初速度について、垂直方向の速度ベクトルよりも水平方向の速度ベクトルが大きいことを意味する。第２吐水口１１４は、特に、後部領域１１０の上端付近まで漏れなくカバーできるように洗浄することが理想である。【００２１】
第１吐水口１１２は、第２水流Ｓ２の方向（図１では反時計回り）において、第２吐水口１１４よりも前方（下流側）に形成される。図１では、水洗式便器１００をＸ方向（正面方向）から見たときの右後方に第２吐水口１１４が形成され、左側方に第１吐水口１１２が形成されている。第１吐水口１１２の先端から第２吐水口１１４の先端までの範囲に後部領域１１０が包含される。具体的には、第１吐水口１１２の先端と第２吐水口１１４の先端が重心Ｐに対して形成する角度ｂ（＞ａ）は、９０度（便鉢内周の１／４）から１４４度（便鉢内周の２／５）の範囲、より好ましくは、１００度から１４０度の範囲である。また、給水部１０４から供給される洗浄水の大半（５０％を超える水量）、好ましくは、７０〜８５％は第１吐水口１１２に配分され、残りが第２吐水口１１４に配分される。【００２２】
第２吐水口１１４の先端である始点Ｑ２から、第１吐水口１１２の終端である終点Ｒ２まで、第２水流Ｓ２のガイドレールとしての第２導水棚１２４が形成される。第２導水棚は第２導水手段の一実施形態である。第２吐水口１１４から吐出される第２水流Ｓ２は、第２導水棚１２４の上に形成される（図３，４に関連して詳述）。第１吐水口１１２の先端である始点Ｑ１から便鉢部１０６の左側面、前端面および右側面にわたって、第１水流Ｓ１のガイドレールとしての第１導水 棚１２２が形成される。第１導水棚は第１導水手段の一実施形態である。第１導水棚１２２は、第２吐水口１１４の先端に至る手前の終点Ｒ１で終端される。このため、終点Ｒ１と第２導水棚１２４の始点Ｑ２の開口部１３０が形成される。開口部１３０については図７に関連して詳述する。【００２３】
図３は、水洗式便器１００の第１の斜視図である。
図３に示す水洗式便器１００は、便鉢部１０６の上端部が内側に向けてせり出すことにより便器上面１２６への水の跳ね上がりを防ぐためのパーツ（オーバーハング）を有さないタイプである。水洗式便器１００は、オーバーハングを持たないことにより、デザインをシンプルにできる。【００２４】
第２吐水口１１４は、便鉢部１０２の後部領域１１０に洗浄水を吐出する。第２吐水口１１４から第１吐水口１１２までは第２水流Ｓ２のガイドレールとして第２導水手段１２４が形成される。第２吐水口１１４から吐出された洗浄水は後部領域１１０を洗浄したあと第２導水手段１２４に沿って第２水流Ｓ２を形成し、第１吐水口１１２に至る。【００２５】
第１吐水口１１２は、便鉢部１０２の内壁上部において周方向に洗浄水を吐出する。第１吐水口１１２からは、便鉢部１０２の周方向に沿って第１導水手段１２２が形成される。第１吐水口１１２から吐出された洗浄水は、第１導水手段１２２に沿って第１水流Ｓ１を形成し、便鉢部１０２の前端面および側面の上方を旋回するが、詳細は後述する。【００２６】
第２導水棚１２４は、滑らかに、いいかえれば、連続的に第１導水棚１２２と結合する。このため、第２導水棚１２４に形成される第２水流Ｓ２は第１導水棚１２２に形成される第１水流Ｓ１とスムーズに合流する。いいかえれば、第２水流Ｓ２は、第１吐水口１１２の付近で第１水流Ｓ１の一部となり、一体となって便鉢部１０２の内壁上部を旋回しつつ螺旋状に下降する。以下、第１水流Ｓ１および第２水流Ｓ２が合流したあとの水流のことを「旋回水流Ｓ０」とよぶことにする。旋回水流Ｓ０の大部分は第１水流Ｓ１であるが、第２水流Ｓ２も含まれている。【００２７】
図４は、第１吐水口１１２および第２吐水口１１４の高低関係を説明するための模式図である。図５は、第１吐水口１１２付近の拡大斜視図である。
上述のように、第１水流Ｓ１の役割は、第１導水手段１２２に沿って通水路（便鉢部１０２の内壁上部）を旋回することで便鉢部１０２を広域洗浄し、かつ、溜水部１１８に溜まっている汚物を排水管１２０に押し出すことである。一方、第２水流Ｓ２の主たる役割は、後部領域１１０を局所洗浄することである。後部領域１１０は、その上端付近まで汚れる可能性があるため、第２吐水口１１４からの吐水は後部領域１１０のなるべく高いところまで届くことが好ましい。このため、第２水流Ｓ２が後部領域１１０よりも上に飛び出して水洗式便器１００の上面１２６まで飛散しない程度に、第２吐水口１１４は可能な限り高く設置されることが望ましい。【００２８】
一方、第１水流Ｓ１の場合、便鉢部１０２の内壁上端まで届かせる必要性は第２水流Ｓ２よりも低い。以上の設計目的に鑑みて、本実施形態においては、第１吐水口１１２よりも第２吐水口１１４を高い位置に形成している。図４において、第１吐水口１１２の開口下端の高さをＨ４、第１吐水口１１２の開口幅をＺ４、第１吐水口１１２の開口上端の高さをＨ６、第１吐水口１１２の開口中央の高さをＨ５とする。ここでいう「高さ」とは水洗式便器１００の底面からの高さ、または、溜水部１１８の滞留水の水面からの高さ、水洗式便器１００が設置される床面からの高さとして定義される。この場合、Ｈ５＝Ｈ４＋Ｚ４／２、Ｈ６＝Ｈ４＋Ｚ４である。【００２９】
同様に、図４において、第２吐水口１１４の開口下端の高さをＨ１、第２吐水口１１４の開口幅をＺ３、第２吐水口１１４の開口上端の高さをＨ２、第２吐水口１１４の開口中央の高さをＨ３とする。この場合、Ｈ３＝Ｈ１＋Ｚ３／２、Ｈ２＝Ｈ１＋Ｚ３である。【００３０】
ここで「第１吐水口１１２よりも第２吐水口１１４が高い」とは、
（１）Ｈ１≧Ｈ４（下端比較）かつＨ３＞Ｈ５（中央比較）であること
（２）Ｈ１＜Ｈ４（下端比較）であるが、Ｈ３＞Ｈ５（中央比較）かつＨ２＞Ｈ６（上端比較）であること
（３）Ｈ３≦Ｈ５（中央比較）であるが、Ｈ１＞Ｈ４（下端比較）であること
のいずれかを意味する。本実施形態（図４）は、（１）に対応する。【００３１】
（１）は、開口中心（Ｓ３，Ｓ５）を比較したときに第２吐水口１１４は第１吐水口１１２よりも高い位置にあり、かつ、開口下端を比較したときに第２吐水口１１４の開口下端が第１吐水口１１２の開口下端と同じ高さまたはそれ以上であることを意味する。この場合、第２導水手段１２４は、第２吐水口１１４から水平または下方向に傾斜する。
（２）は、開口下端（Ｓ１，Ｓ４）を比較したときに第２吐水口１１４は第１吐水口１１２よりも低くなるため、第２導水手段１２４は上方向に傾斜する。その代わり、開口中心も開口上端も第２吐水口１１４の方が第１吐水口１１２よりも高い。
（３）は、開口中心（Ｓ３，Ｓ５）を比較したときに第２吐水口１１４は第１吐水口１１２よりも低い位置にあるものの、開口下端（Ｓ１，Ｓ４）を比較したときに第２吐水口１１４は第１吐水口１１２よりも高い位置にあるため、第２導水手段１２４は、下方向に傾斜する。
上記いずれの場合も、第２吐水口１１４から吐出される洗浄水の全部または一部に第１吐水口１１２から吐出される洗浄水よりも高い位置エネルギーが付与される点がポイントである（理由は後述）。【００３２】
第１水流Ｓ１が便鉢部１０２の内壁面を広域洗浄できるように、第１吐水口１１２には第２吐水口１１４に比べて多くの洗浄水が配分される。このため、吐水量が大きい第１吐水口１１２を高い位置に設置すると吐水量が比較的小さな第２吐水口１１４よりも水が飛散する可能性が高い。一方、第２吐水口１１４は比較的吐水量が少ないため、第１吐水口１１２よりも上方に設置しやすい。このような観点からも、第１吐水口１１２に洗浄水の大部分（５０％以上、好ましくは７０〜８５％）を配分する代わりに、第２吐水口１１４を第１吐水口１１２よりも高い位置に設けることは合理的である。【００３３】
第２水流Ｓ２は、後部領域１１０を洗ったあと、下方に傾斜する第２導水手段１２４に沿って第１吐水口１１２に向かう。第２導水手段１２４はガイドレールとして、第２水流Ｓ２の通水路を形成している。第２導水手段１２４は、第１導水手段１２２と滑らかに結合している（図５参照）。ここでいう「滑らか」とは連続的（linear and continuous）で実質的な段差を持たないことを意味する。【００３４】
第１水流Ｓ１および第２水流Ｓ２の方向は上方から見たときにどちらも反時計回りであるが、第２吐水口１１４よりも第１吐水口１１２の方がその水流方向においては前方に形成される。このため、第１吐水口１１２と第２吐水口１１４の高さが同じであるとすると、第２水流Ｓ２は第１水流Ｓ１と合流するまでに運動エネルギー（水勢）の一部を失うために、合流時において両水流の水勢に差がつきやすい。しかし、本実施形態においては、第２吐水口１１４を第１吐水口１１２よりも高い位置にあるため、位置エネルギーのアドバンテージ分だけ第２水流Ｓ２に勢いを追加できる。このように、第２吐水口１１４は第１吐水口１１２より後方から吐水するものの、第２吐水口１１４は第１吐水口１１２よりも高い位置から吐水するため、第１の水流の水勢と第２の水流の水勢を近づけることが可能となり、２つの水流のスムーズな合流が達成されている。【００３５】
洗浄水の７０〜８５％を第１吐水口１１２に配分する場合を想定すると、第１吐水口１１２の先端から第２吐水口１１４の先端までの円弧は、便鉢部１０２の全周の１／４〜２／５程度とすることが好ましい。このような設計によれば、洗浄対象となる後部領域１１０（汚染想定領域）として、充分な大きさの領域を確保しつつ、第２吐水口１１４からの比較的少ない洗浄水でこの後部領域１１０をその上端付近までしっかりと洗浄し、かつ、第１水流Ｓ１に第２水流Ｓ２を同程度の水勢で合流させやすくなる。【００３６】
第１吐水口１１２と第２吐水口１１４を近づけすぎると、洗浄対象となる汚染想定領域（後部領域１１０）の一部にいずれかの吐水口が入り込んでしまう。たとえば、第１吐水口１１２を側方ではなく後方に設置すると、第１吐水口１１２が汚物で汚れてしまうかもしれない。汚染想定領域（後部領域１１０）として充分な大きさの領域を確保するため、第１吐水口１１２と第２吐水口１１４はある程度離隔する必要がある。反面、２つの吐水口を離しすぎると、第２の水流が第１の水流に合流する前に水勢を失いすぎてしまう。このようなトレードオフを考慮して設計する必要がある。【００３７】
図６は、水洗式便器１００の第２の斜視図である。
第１水流Ｓ１および第２水流Ｓ２は合流して、旋回水流Ｓ０を形成する。旋回水流Ｓ０は、第１導水手段１２２に沿って、便鉢部１０２の内壁上部に周方向に形成される。旋回水流Ｓ０の一部は、第１導水手段１２２から落下して便鉢部１０２の内壁を洗うが、大部分は第１導水手段１２２に沿って終点Ｒ１（図１参照）まで周回する。このように、第１導水手段１２２は、旋回水流Ｓ０のガイドレールとして、旋回水流Ｓ０の通水路を形成している。【００３８】
図７は、水洗式便器１００の第３の斜視図である。 
第１導水棚１２２は、便鉢部１０２の内壁を一周し、その終端部である棚終端部１２８が第２吐水口１１４の手前に形成される。棚終端部１２８は徐々に狭まり、第２吐水口１１４の手前の終点Ｒ１で終端されるため、終点Ｒ１と第２吐水口１１４の間には棚不連続部１３０が形成される（図１も参照）。便鉢部１０２の内部を周回した旋回水流Ｓ０は第１導水棚１２２の棚終端部１２８に至るまでに徐々に水勢を失い、最終的には、旋回水流Ｓ０の大部分が開口部１３０から溜水部１１８に向けて落下する。便鉢部１０２は、棚不連続部１３０において滑らかな内壁面を有するため、旋回水流Ｓ０は溜水部１１８にスムーズかつ一気に落下し、その落下した水勢が溜水部１１８に溜まっている汚物を強力に押し出す。すなわち、旋回水流Ｓ０の落下により、排出力が提供される。【００３９】
以上をまとめると、水洗式便器１００は、排出力と（前端面および側面を対象とした）広域洗浄力に加えて、後部領域１１０を対象とした局所洗浄力も提供できる。第１吐水口１１２の吐水は、第１導水手段１２２に沿って広範囲に旋回しつつ便鉢部１０２の内壁面を洗い流し（前面および側面の洗浄力）、棚終端部１２８を過ぎたあとにまとまった水量にて一気に落下することで汚物を強力に押し流す（排出力）。【００４０】
一方、第２吐水口１１４の吐水は、後部領域１１０をいわば狙い撃ちで洗浄し、第２導水手段１２４に沿って第２水流Ｓ２を形成し、第１水流Ｓ１とスムーズに合流している。第２水流Ｓ２は後部領域１１０を洗ったあとも旋回水流Ｓ０の一部となるために、第２水流Ｓ２を無駄なく使うことができる。また、従来、汚れが残りやすかった後部領域１１０、特に、その上部を洗うために比較的高い位置に第２吐水口１１４を設けている。このような構造により、便鉢部１０２の全体としての洗浄効果を高めている。【００４１】
最後に、第１から第３の変形例について付言する。
図８は、第１の変形例における水洗式便器１００Ａの斜視図である。
第１の変形例においては、第２導水手段１２４と第１導水手段１２２を滑らかに接続するのではなく、両者の間に段差を設けている。段差を設ける場合、第２導水手段１２４は水平であってもよいが、図４に示したようにある程度の傾斜させてもよい。第１の変形例によれば、第２水流Ｓ２は第１水流Ｓ１に覆い被さるように合流する。いわば、第２水流Ｓ２を第１水流Ｓ１に乗せるような合流が可能となる。【００４２】
図９は、第２の変形例における水洗式便器１００Ｂの斜視図である。
第２の変形例においては、便鉢部１０２の上周に沿ってオーバーハング１３２が形成される。オーバーハング１３２は水や汚物の飛散を防止する効果がある。このため、オーバーハング１３２を設ける構成においては、第２吐水口１１４をいっそう高く設置しやすい。【００４３】
図１０は、第３の変形例における水洗式便器１００Ｃの斜視図である。
第３の変形例は、第１および第２の変形例の組み合わせである。すなわち、第１導水手段１２２と第２導水手段１２４に段差を設け、かつ、オーバーハング１３２が形成されている。【００４４】
以上のように、第１吐水口１１２からの吐水のガイドレールとなる第１導水手段１２２と第２導水手段１２４を連続的につなげることで、第１水流Ｓ１と第２水流Ｓ２をスムーズに合流させやすくなる。第１導水手段１２２を周回した水流の多くを第２吐水口１１４の手前で落下する。第１水流Ｓ１を便鉢内で１回旋回させたあとにその勢いのまま急落下させることで、汚物を排水管に効果的に押し流しやすくなる。洗浄対象となる後部領域１１０（汚染想定領域）として、充分な大きさの領域を確保しつつ、第２吐水口１１４からの比較的少ない洗浄水でこの後部領域１１０を広域洗浄し、かつ、第１水流Ｓ１に第２水流Ｓ２を同程度の水勢で合流させやすくなる。【００４５】
これまで説明した実施形態に代表される本発明によれば、第２の吐水口の鉛直方向の高さを第１の吐水口の鉛直方向の高さよりも高い位置に設ける構成により、旋回を補助する補助水流としての機能を維持しながら、便鉢内上部後方の汚れが付着しやすいエリアに効率的に水流を送り出すことができる。その結果、使用する水量を増加させることなく、汚れの付着しやすい上部後方エリアを効率的かつ効果的に洗浄することができる。【００４６】
また、水が旋回する方向に関し、第１の導水手段の始点と、第２の導水手段の終点とを連続的に構成することにより、第１の水流と第２の水流とをスムーズに合流させることができ、便器洗浄性能に効率的に水流を利用することができる。【００４７】
また、水が旋回する方向に関し、第１の導水手段の終点と、第２の導水手段の始点とを不連続に構成することにより、第１の導水手段に案内されて便器内を周回した水流の多くを第２の吐水口の手前で落下させやすくなる。第１の水流を便鉢内で１回旋回させたあとにその勢いのまま急落下させることで、汚物を排水管に効果的に押し流しやすくなる。【００４８】
また、第１の吐水口と第２の吐水口との周方向の距離を、便鉢部の内周の１／４以上２／５以内とする構成により、使用水量を増加させることなく効率的に旋回流を形成し、且つ、第２の吐水口から吐出される水流を利用して効率的に便鉢内面上部後方の汚れの付着しやすい領域を洗浄することができる。この構成は、特に第１吐水口からの吐出する水量と、第２吐水口から吐出する水量が、（７〜８．５）：（３〜１．５）の比率のときに最も有効となる。【００４９】
本発明は、上記実施形態に限定されず、添付の請求の範囲を逸脱しない範囲において変更、修正、又は改良が可能であり、そのような変更、修正、又は改良も本発明の請求の範囲に属する。また本開示における形状、機能、構成と均等であると解されるものも本発明の範囲に含まれる。
【産業上の利用可能性】
【００５０】
本発明は、水洗式便器、特に、複数の吐水口から洗浄水を吐出するタイプの水洗式便器に応用可能である。
【図１】
2016143029.tif 000003
【図２】
2016143029.tif 000004
【図３】
2016143029.tif 000005
【図４】
2016143029.tif 000006
【図５】
2016143029.tif 000007
【図６】
2016143029.tif 000008
【図７】
2016143029.tif 000009
【図８】
2016143029.tif 000010
【図９】
2016143029.tif 000011
【図１０】
2016143029.tif 000012
【国際調査報告】
2016143029.tif 000013
2016143029.tif 000014
2016143029.tif 000015
2016143029.tif 000016